(57)【要約】      （修正有）【課題】平面視三角形状の板材または四角形の板材を組み合わせてトラス状に接合することで破断強度を高めた強化集成材を提供する。【解決手段】強化集成材１は、平面視三角形の板材１１〜１４を複数接合し、または平面視三角形の板材と平面視四角形の板材１０を複数接合した強化集成材において、板材の斜辺と接合される板材の斜辺とが同じ長さに設定されると共に、接合された板材間の接合面がトラスと同じ形状からなることを特徴とする。【選択図】図１
0003193864.tif 000002
【実用新案登録請求の範囲】
【請求項１】
平面視三角形の板材同士または平面視三角形の板材と平面視四角形の板材を複数接合した強化集成材において、
平面視三角形の板材の一辺と接合される平面視三角形板材または平面視四角形の板材の一辺とが同じ長さに設定されると共に、接合された板材間の接合面がトラスと同じ形状に設定されることを特徴とする強化集成材。
【請求項２】
平面視三角形の板材が、少なくとも一辺が同じ長さの直角三角形、直角二等辺三角形、または二等辺三角形からなっていることを特徴とする請求項１に記載の強化集成材。
【請求項３】
集成材が、複数の平面視三角形の板材のみからなることを特徴とする請求項１または２に記載の強化集成材。
【請求項４】
集成材が、複数の平面視三角形の板材と平面視四角形の板材との組み合わせからなり、前記平面視四角形の板材は、角部が上下左右に向くように菱形状に配置され、その斜辺に平面視三角形の板材の斜辺、または平面視四角形の板材の斜辺が隙間なく接合されてなることを特徴とする請求項１に記載の強化集成材。
【考案の詳細な説明】
【技術分野】
【０００１】
本考案は、平面視三角形状の板材または平面視三角形の板材と平面視四角形の板材を組み合わせて接合することで、破断強度を高めた強化集成材に関する。
【背景技術】
【０００２】
従来、例えば実用新案登録第３１７６９９７号の耐震構造合板では、横の木目の板を心板とし、該心板を両側から挟む添え心板の一方の木目が斜め４５度に傾斜し、他方の木目が一方の木目と反対方向に斜め４５度に傾斜してなり、該添え心板の外側に縦の木目の表板と裏板とを重ね合わせた合板からなっており、前記合板を構成する板が、正方形又は長方形で縦の木目の単板を、直角二等辺三角形を隙間無く組み合せた切断線に沿って切断し、又は上部が二等辺三角形となる五角形と二等辺三角形とを組合せた切断線に沿って切断した切断片を組み合せて形成した構造が知られている。
同様に、実用新案登録第３１７７５６１号の耐震構造合板では、直方体の合板の中央に配置される木目が横に延びる心板材と、該心板材の一側に接着されて木目が斜め４５度に傾斜する一方の添え心板材と、前記心板材の他側に接着されて木目が前記一方の添え心板材と反対方向に斜め４５度に傾斜する他方の添え心板材と、前記一方及び他方のそれぞれの添え心板材の外表面に接着されて表裏となる木目が縦に延びる外表面板とからなっており、前記一方およびまたは他方の添え心板材が、木目が縦または横に延びる正方形の板材を一方の対角線に沿って二等分した直角二等辺三角形からなる一対の第１構成片と、一方の第１構成片をその頂角の二等分線に沿って二等分した直角二等辺三角形からなる一対の第２構成片とに分断し、第１構成片の各斜辺に沿って木目を合わせて第２構成片の底辺を一体に接合して、木目が４５度に傾斜する長方形の板材からなることを特徴とする構造が知られている。
しかし、上記構成では、いずれも木目の異なる板材を積層した合板であり、集成材に適用することはできなかった。
【先行技術文献】
【特許文献】
【０００３】
【特許文献１】実用新案登録第３１７６９９７号公報
【特許文献２】実用新案登録第３１７７５６１号公報
【考案の概要】
【考案が解決しようとする課題】
【０００４】
この考案は、上記事情に鑑みて創案されたものであって、その主たる課題は、
複数の板材を接合する集成材を、平面視三角形または平面視四角形の板材の接合面がトラス構造となるように組み合わせて、強度を高めた強化集成材を提供することにある。
【課題を解決するための手段】
【０００５】
上記課題を解決するために、請求項１の考案では、
平面視三角形の板材同士または平面視三角形の板材と平面視四角形の板材を複数接合した強化集成材において、
平面視三角形の板材の一辺と接合される平面視三角形板材または平面視四角形の板材の一辺とが同じ長さに設定されると共に、接合された板材間の接合面がトラスと同じ形状に設定されることを特徴とする。
請求項２の考案では、
前記平面視三角形の板材が、少なくとも一辺が同じ長さの直角三角形、直角二等辺三角形、または二等辺三角形からなっていることを特徴とする。
請求項３の考案では、
前記集成材が、複数の平面視三角形の板材のみからなることを特徴とする。
請求項４の考案では、
前記集成材が、複数の平面視三角形の板材と平面視四角形の板材との組み合わせからなり、前記平面視四角形の板材は、角部が上下左右に向くように菱形状に配置され、その斜辺に平面視三角形の板材の斜辺、または平面視四角形の板材の斜辺が隙間なく接合されてなることを特徴とする。
【考案の効果】
【０００６】
本考案では、平面視三角形の板材およびまたは菱形状に配置した平面視四角形の板材を、それらの斜辺を隙間なく合わせて接合する際に、接合された斜辺がトラス構造となるように接合されるので、集成材としての強度は１枚ものの板材に比べて破断荷重が大きく、集成材の強度を高めることができる。
【図面の簡単な説明】
【０００７】
【図１】（ａ）平面視正方形の板材を二等分して直角二等辺三角形の板材とする場合の説明図、（ｂ）平面視正方形の一辺の中点と、上記一辺と対峙する辺の左右のそれぞれの角部とを結ぶ線で３分割して３つの板材とする場合の説明図、（ｃ）は平面視正方形の４つの角部を対角線で結ぶ線で４分割して４つの板材とする場合の説明図である。
【図２】三角形の板材を接合して正方形に戻した場合の強度試験の試験結果を示す表である。
【図３】トラス構造となるように接合した場合の一例を示す組合せ図である。
【図４】トラス構造となるように接合した場合の別の一例を示す組合せ図である。
【図５】トラス構造となるように接合した場合の異なる一例を示す組合せ図である。
【図６】（ａ）別のトラス構造となる組み合わせ、（ｂ）更に別のトラス構造となる接合例を示す組合せ図である。
【図７】集成材が三角形状に形成される場合の接合例を示す組合せ図である。
【図８】集成材が三角形の板材と四角形の板材からなる場合の組合せ図である。
【考案を実施するための形態】
【０００８】
以下に、この考案の強化集成材の好適実施例について図面を参照しながら説明する。
【実施例１】
【０００９】
本実施例の強化集成材１を構成する板材は、平面視三角形、または平面視四角形であって厚みを有する板材であって、板材を平面視三角形、平面視四角形という場合も、板材を単に三角形、四角形という場合も同じであり、いずれも厚みを有するものを意味する。
そして、図１（ａ）に示すように、例えば一辺が２０ｍｍの四角形（正方形）で厚みが２１ｍｍの板材１０を対角線Ｌ１に沿って二等分に切断して、２つの直角二等辺三角形の板材１１が形成される。
【００１０】
図１（ｂ）では、前記正方形の板材１０の一辺の中点Ｐと、上記一辺と対峙する辺の両端（左右）のそれぞれの角部とを結ぶ二本の線Ｌ２で３分割して３つの三角形状の板材１２，１３が形成される。
図示例では、中央が大きな二等辺三角形の板材１２となり、その左右に該板材１２を二等分した直角三角形の板材１３、１３が形成される。
【００１１】
図１（ｃ）では、前記正方形の板材１０の４つの角部を２本の対角線Ｌ１で結ぶ線で分割して４等分とした４つの二等辺三角形からなる板材１４が形成される。
【００１２】
上記のように形成された集成材構成用の板材１１〜１４を組み合わせ接合して、分割前の正方形と同じ形状、即ち、図１（ａ）〜（ｃ）と同じ正方形の形状に接合した集成材１の強度について、図２に試験結果を示す。
【００１３】
即ち、正方形（２０ｍｍ×２０ｍｍ）で厚み２１ｍｍの一枚ものの板材を比較例とし、前記二等分した三角形の板材１１の２つを接合して前記正方形にしたものを実験例１とし、３分割した板材１２、１３の３つを接合して前記正方形にしたものを実験例２とし、４分割した板材１４の４つを接合して前記正方形にしたものを実験例３として測定した。
【００１４】
上記測定では、ボンドでの張り合わせの締め付け度合（圧着）や測定場所の気温や湿度などの天候によっても測定値の誤差が生じること、接合する板材の面の三角切り口の隣り合わせの面の切り口を互い違いに組み合わせて接合し集成材とした。
【００１５】
その結果、上記実験例１〜３は、単に三角形の板材を接合したものでも単体の板材よりも破断荷重が大きく（実験例１）なるものや、やや劣るがほぼ同様の破断荷重を有する（実験例２，３）ことが確認できた。
本実施例では、説明の便宜上、正方形の板材を分割して三角形の板材を形成した場合を例示したが、この考案では、長方形の板材やその他、任意形状の板材から三角形の板材を形成するものであってもよい。
【００１６】
本実施例の集成材１は、前記各板材１１〜１４の一辺に対して、これと接合される他の板材１１〜１４の一辺が同じ長さとなるように組み合わせて接合し、その接合面１５がトラスの形状となるように形成される。
【００１７】
図３に一例を示す集成材１は、直角二等辺三角形の板材１１（または１２、以下同じ）を複数用い、該板材１１の一辺に対して、これと接合される板材１１の一辺が同じ長さとなるように配置し、同時に板材１１間の接合面１５がプラットトラスの形状となるように接合して形成される。
【実施例２】
【００１８】
図４に一例を示す実施例２の集成材１は、直角二等辺三角形の板材１１（または１３、以下同じ）を複数用い、該板材１１の一辺に対して、これと接合される板材１１の一辺が同じ長さとなるように配置し、同時に板材１１間の接合面１５がハウトラスの形状となるように接合して形成される。
【実施例３】
【００１９】
図５に一例を示す実施例３の集成材１は、二等辺三角形の板材１２と、直角二等辺三角形の板材１３を複数用い、該板材１２，１３の一辺に対して、これと接合される板材１２、１３の一辺が同じ長さとなるように配置し、同時に板材１２と１２、１２と１３間の接合面１５がワーレントラスの形状となるように接合して形成される。
【００２０】
上記トラス構造は、少なくとも集成材１の主要部に用いられるものであればよく、大きな荷重がかからない個所の接合面１５はトラス構造でなくてもよい。
また、トラス構造は上記実施例に限定されるものではなく、その他、集成材１の形状に合わせて公知のトラス構造を用いてもよい。
【実施例４】
【００２１】
また、前述の実験例１で明らかなように、直角二等辺三角形の板材１１（１３）を上下反転したものを繰り返して接合（図６（ａ）参照）したり、交互に上下を変えて接合（図６（ｂ）参照）して集成材１としてもよい。
【実施例５】
【００２２】
図７に示す集成材１は平面視が三角形の集成材の場合を示す。
この場合、中央に二等辺三角形の板材１２を配置し、その左右に、それぞれ、前記板材の斜辺と同じ長さの斜辺を有する直角二等辺三角形の板材１３を組み合わせ、該直角二等辺三角形の板材１３の底辺に同一形状の直角二等辺三角形の板材１３の底辺を組み合わせて接合して集成材１とした構成からなっている。
この場合も、接合面１５がトラスの形状となっている。
このように、この考案では、集成材の形状は矩形や三角形状に限らず、集成材として用いられる公知の形状とすることができる。
【実施例６】
【００２３】
図８に示す集成材１は、板材の異なる組み合わせを示す。
この集成材１は、四角形の板材と三角形の板材の組み合わせで形成することができる。
この場合、四角形の板材を略菱形状に配置し、その四角形の板材の斜辺に、三角形の板材の斜辺を重ね合わせた構成となる。
【００２４】
例えば、四角形の一例として、長方形または正方形の板材１０’と、三角形の一例として、例えば直角二等辺三角形の板材１１、１４とを組み合わせ、方形の板材１０’を菱形状に配置し、その傾斜した辺と隣接する部分に三角形の板材１１の斜辺や板材１４の底辺を合わせて嵌め込み接合することで、集成材１を形成する。
このような場合も前記実施例と同様の効果を奏することができる。
【００２５】
この考案では、上記実施例に限定されず、トラスの効果が生じうる任意の組み合わせにより複数の三角形状の板材を接合して集成材とすることができる。
その他、要するにこの考案の要旨を変更しない範囲で種々設計変更しうること勿論である。
【符号の説明】
【００２６】
１          強化集成材
１０、１０’  四角形の板材
１１〜１４    各種三角形の板材
１５          接合面
【図１】
0003193864.tif 000003
【図２】
0003193864.tif 000004
【図３】
0003193864.tif 000005
【図４】
0003193864.tif 000006
【図５】
0003193864.tif 000007
【図６】
0003193864.tif 000008
【図７】
0003193864.tif 000009
【図８】
0003193864.tif 000010